【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の制御ノードと、前記複数の基地局の第２のグループを制御する第２の制御ノードとを含む複数の制御ノードと、
マルチセル領域に関する情報を格納する、前記無線アクセスネットワークに含まれる呼出制御ノードとを有し、
前記マルチセル領域は、前記第１のグループの基地局の少なくともいくつかによってサービスを受けるセルと、前記第２のグループの基地局の少なくともいくつかによってサービスを受けるセルとを含み、
前記コアネットワークは前記マルチセル領域がどのように定義されるのかを知らず、前記移動局が前記マルチセル領域において呼出を受けることになるとき、前記呼出制御ノードは、前記マルチセル領域に関する情報を用いて、前記マルチセル領域においてセルにサービスを行っている基地局に呼出メッセージを送信することを特徴とするネットワーク。
【請求項２】  前記呼出制御ノードが呼出メッセージを送信する制御ノードは、該ノードで制御され、前記マルチセル領域に含まれるセルのリストを格納することを特徴とする請求項１に記載のネットワーク。
【請求項３】  前記呼出制御ノードは、前記複数の制御ノードの１つであることを特徴とする請求項１に記載のネットワーク。
【請求項４】  前記第１の制御ノードと前記第２の制御ノードとは制御ノード間リンクによって接続され、
前記呼出メッセージは前記第１の制御ノードから前記第２の制御ノードに対して前記制御ノード間リンクによって送信されることを特徴とする請求項１に記載のネットワーク。
【請求項５】  前記移動局の呼出は前記コアネットワークによって開始され、
前記マルチセル領域は複数のセルを有するロケーション領域であることを特徴とする請求項１に記載のネットワーク。
【請求項６】  前記移動局の呼出は前記コアネットワークからのものであり、移動交換センタによって開始され、
前記呼出は前記移動局についての前記マルチセル領域の指示を含むことを特徴とする請求項１に記載のネットワーク。
【請求項７】  前記第１の制御ノードは前記呼出制御ノードであり、
前記呼出制御ノードは前記呼出メッセージを、前記第１のグループに含まれ、前記マルチセル領域におけるセルにサービスを行なう基地局に送信することを特徴とする請求項１に記載のネットワーク。
【請求項８】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の制御ノードと、前記複数の基地局の第２のグループを制御する第２の制御ノードとを含み、いずれか１つが呼出制御ノードとして役割を果たす複数の制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記呼出制御ノードは前記マルチセル領域の定義に関する情報を格納し、前記移動局が前記マルチセル領域において呼出を受けたとき、前記呼出制御ノードは前記マルチセル領域におけるセルにサービスを行なう基地局を制御する前記複数の制御ノードの内のもう１つに呼出メッセージを送信し、
前記呼出メッセージを送信するもう１つの制御ノードは、複数のマルチセル領域の少なくとも一部に対して送信を行い、
前記複数のマルチセル領域各々にはレイヤパラメータが割当てられ、
前記レイヤパラメータは前記呼出メッセージと共に、前記もう１つの制御ノードにより制御されるセルに対して送信されることを特徴とするネットワーク。
【請求項９】  前記レイヤパラメータは前記呼出制御ノードによってマルチセル領域に割当てられ、
前記第１の制御ノードと前記第２の制御ノードとは制御ノード間リンクによって接続され、
前記レイヤパラメータは前記制御ノード間リンクによって送信されることを特徴とする請求項８に記載のネットワーク。
【請求項１０】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の制御ノードと、前記複数の基地局の第２のグループを制御する第２の制御ノードとを含み、いずれか１つが呼出制御ノードとして役割を果たす複数の制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記呼出制御ノードは前記マルチセル領域の定義に関する情報を格納し、前記移動局が前記マルチセル領域において呼出を受けたとき、前記呼出制御ノードは前記マルチセル領域におけるセルにサービスを行なう基地局を制御する前記複数の制御ノードの少なくとも１つに呼出メッセージを送信し、
前記移動局がパケット交換サービスに加入しており、
前記移動局の呼出は前記無線アクセスネットワークによって開始され、
前記マルチセル領域はルーティング領域であることを特徴とするネットワーク。
【請求項１１】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは前記マルチセル領域の定義に関する情報を用いて、呼出メッセージを、（１）前記マルチセル領域に属する前記第１のグループの基地局、及び（２）前記第２の無線ネットワーク制御ノードに発信し、
前記マルチセル領域の定義に関する情報は、前記第１の無線ネットワーク制御ノードに格納され、前記コアネットワークには知られていないことを特徴とするネットワーク。
【請求項１２】  前記第１の無線ネットワーク制御ノードと前記第２の無線ネットワーク制御ノードとは無線ネットワーク制御ノード間リンクによって接続され、
前記呼出メッセージは前記第１の無線ネットワーク制御ノードから前記第２の無線ネットワーク制御ノードに対して前記無線ネットワーク制御ノード間リンクによって送信されることを特徴とする請求項１１に記載のネットワーク。
【請求項１３】  前記移動局の呼出は前記コアネットワークによって開始され、前記マルチセル領域は複数のセルを有するロケーション領域であることを特徴とする請求項１１に記載のネットワーク。
【請求項１４】  前記移動局の呼出は前記コアネットワークからのものであり、移動交換センタによって開始され、
前記呼出は前記移動局についての前記マルチセル領域の指示を含むことを特徴とする請求項１１に記載のネットワーク。
【請求項１５】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
前記第２の無線ネットワーク制御ノードは、該ノードで制御され、前記マルチセル領域に含まれるセルのリストを保持し、
前記第２の無線ネットワーク制御ノードは前記リストにあるセルに対して呼出メッセージを送信することを特徴とするネットワーク。
【請求項１６】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
呼出メッセージを送信する前記第２の無線ネットワーク制御ノードは複数のマルチセル領域の少なくとも複数の部分に送信を行い、
前記複数のマルチセル領域各々はレイヤパラメータを割当てられ、
前記レイヤパラメータは、前記第２の無線ネットワーク制御ノードによって制御される前記セルに前記呼出メッセージとともに送信されることを特徴とするネットワーク。
【請求項１７】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
前記移動局がパケット交換サービスに加入しており、
前記移動局の呼出は前記無線アクセスネットワークによって開始され、
前記マルチセル領域はルーティング領域であることを特徴とするネットワーク。
【請求項１８】  前記コアネットワークはどのように前記マルチセル領域が定義されるのかを知らないことを特徴とする請求項１７に記載のネットワーク。
【請求項１９】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
マルチセル領域は、前記第１のグループの基地局の少なくともいくつかによってサービスを受けるセルと、前記第２のグループの基地局の少なくともいくつかによってサービスを受けるセルとを含み、
前記マルチセル領域の移動局に呼出しを行うため、前記第１の無線ネットワーク制御ノードは呼出メッセージを、（１）前記マルチセル領域に属する前記第１のグループの基地局、及び（２）前記第２の無線ネットワーク制御ノードに発信し、
前記呼出メッセージに応答する呼出応答メッセージが前記第２の無線ネットワーク制御ノードから受信されたとき、前記第１の無線ネットワーク制御ノードはムーブオーバ要求メッセージをコアネットワークに発行して、前記第１の無線ネットワーク制御ノードから前記第２の無線ネットワーク制御ノードへと前記移動局との接続制御を変更することを特徴とするネットワーク。
【請求項２０】  前記コアネットワークが前記第１の無線ネットワーク制御ノードから前記第２の無線ネットワーク制御ノードへと前記移動局との接続制御を変更した後、前記第２の無線ネットワーク制御ノードは前記コアネットワークに前記呼出応答メッセージを送信することを特徴とする請求項１９に記載のネットワーク。
【請求項２１】  コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
前記第１のグループの基地局の少なくともいくつかによってサービスを受けるセルと、前記第２のグループの基地局の少なくともいくつかによってサービスを受けるセルとを含むマルチセル領域を定義し、
前記第１の制御ノードが前記マルチセル領域の定義に関する情報を用いて、呼出メッセージを、（１）前記マルチセル領域に属する前記第１のグループの基地局、及び（２）前記第２の制御ノードに発信し、
前記マルチセル領域の定義に関する情報は、前記第１の制御ノードに格納され、前記コアネットワークには知られていないことを特徴とする方法。
【請求項２２】  前記第２の制御ノードにおいて、該ノードで制御され、前記マルチセル領域に含まれるセルのリストを格納し、
前記呼出メッセージを前記第２の制御ノードから前記リストにある前記セルにサービスを行う基地局に送信することを特徴とする請求項２１に記載の方法。
【請求項２３】  前記第１の制御ノードと前記第２の制御ノードとは制御ノード間リンクによって接続され、
前記呼出メッセージは前記第１の制御ノードから前記第２の制御ノードに対して前記制御ノード間リンクによって送信されることを特徴とする請求項２１に記載の方法。
【請求項２４】  さらに前記移動局の呼出を前記コアネットワークによって開始し、
前記マルチセル領域は複数のセルを有するロケーション領域であることを特徴とする請求項２１に記載の方法。
【請求項２５】  コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含む第１のマルチセル領域に関連した呼出要求メッセージを、前記無線アクセスネットワークの呼出制御ノードとしての役目を果たす前記第１の制御ノードと前記第２の制御ノードのいずれか一方において受信し、
前記無線アクセスネットワークの呼出制御ノードとしての役目を果たさない前記第１の制御ノードと前記第２の制御ノードの少なくとももう１方に対して呼出メッセージを送信するために、前記呼出制御ノードを用い、
前記呼出制御ノードが呼出メッセージを送信する前記制御ノードにおいて、該ノードで制御され、前記第１のマルチセル領域に含まれるセルのリストを格納し、
前記呼出制御ノードが前記呼出メッセージを送信する前記制御ノードは、前記第１のマルチセル領域を含む複数のマルチセル領域の少なくとも複数の部分に送信を行い、
前記複数のマルチセル領域各々にレイヤパラメータを割当て、
前記呼出メッセージを、前記呼出制御ノードが前記呼出メッセージを送信する前記制御ノードから、前記リストにある前記セルにサービスを行う基地局に送信し、
前記レイヤパラメータを前記呼出メッセージとともに、前記リストにある前記セルにサービスを行う前記基地局に対して送信することを特徴とする方法。
【請求項２６】  コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した呼出要求メッセージを、前記無線アクセスネットワークの呼出制御ノードにおいて受信し、
前記マルチセル領域においてセルにサービスを行う基地局を制御する前記複数の制御ノードの少なくとも１つに対して呼出メッセージを送信するために、前記呼出制御ノードを用い、
前記移動局がパケット交換サービスに加入しており、
前記移動局の呼出は前記無線アクセスネットワークによって開始され、
前記マルチセル領域はルーティング領域であることを特徴とする方法。
【請求項２７】  前記コアネットワークはどのように前記マルチセル領域が定義されるのかを知らないことを特徴とする請求項２６に記載の方法。
【請求項２８】  コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した呼出要求メッセージを、前記無線アクセスネットワークの呼出制御ノードにおいて受信し、
前記マルチセル領域においてセルにサービスを行う基地局を制御する前記複数の制御ノードの少なくとも１つに対して呼出メッセージを送信するために、前記呼出制御ノードを用い、
前記コアネットワークからの呼出を開始し、
前記呼出要求メッセージに前記移動局についての前記マルチセル領域の指示を含めることを特徴とする方法。
【請求項２９】  コアネットワークに接続され、複数のセルに各々がサービスを行う複数の基地局と、前記複数の基地局の第１のグループを制御する第１の制御ノードと、前記複数の基地局の第２のグループを制御する第２の制御ノードとを含む複数の制御ノードとを含む無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した呼出要求メッセージを、前記無線アクセスネットワークの呼出制御ノードにおいて受信し、
前記マルチセル領域においてセルにサービスを行う基地局を制御する前記複数の制御ノードの少なくとも１つに対して呼出メッセージを送信するために、前記呼出制御ノードを用い、
前記制御ノードの少なくとも１つからの呼出応答メッセージを前記呼出制御ノードに返却し、
前記呼出応答メッセージが受信されたとき、前記呼出制御ノードからムーブオーバ要求メッセージを前記コアネットワークに発行して、前記呼出制御ノードから、前記移動局が応答した前記複数の制御ノードの少なくとも１つへと前記移動局との接続制御を変更することを特徴とする方法。
【請求項３０】  前記コアネットワークが前記移動局との接続制御を変更した後、前記移動局が応答した前記複数の制御ノードの少なくとも１つは、前記コアネットワークに前記呼出応答メッセージを送信することを特徴とする請求項２９に記載の方法。
【請求項３１】  コアネットワークに接続され、各々の複数のセルにサービスを行う複数の基地局と、前記複数の基地局の第１のグループを制御する第１の制御ノードと、前記複数の基地局の第２のグループを制御する第２の制御ノードとを含む複数の制御ノードとを含み、前記複数の制御ノードの１つが初めに前記コアネットワークとパケット交換サービスに従事する移動局との間の制御を扱う無線アクセスネットワークを有する通信ネットワークを動作させる方法であって、前記方法は、
第１のグループの基地局の少なくともいくつかによってサービスを受けるセルと、第２のグループの基地局の少なくともいくつかによってサービスを受けるセルとを含むマルチセル領域に関連した前記移動局に対する呼出要求メッセージを、前記無線アクセスネットワークの呼出制御ノードにおいて受信し、
前記マルチセル領域におけるセルにサービスを行う基地局を制御する前記制御ノードの少なくとも１つに対して呼出メッセージを送信するために、前記呼出制御ノードを用い、
前記移動局からの呼出応答メッセージを受信したときには、前記コアネットワークと移動局との間の接続の処理を別の制御ノードに移動させる要求を、前記呼出制御ノードにおいて、発生することを特徴とする方法。
【請求項３２】  前記コアネットワークが前記移動局との接続制御を移動させた後、前記接続を新らたに扱う前記制御ノードは、前記コアネットワークに前記呼出応答メッセージを送信することを特徴とする請求項３１に記載の方法。
【請求項３３】  コアネットワークに接続され移動局にサービスを行う、各々の複数のセルにサービスを行う複数の基地局と前記複数の基地局を制御する無線ネットワーク制御ノードとを含む通信ネットワークの無線アクセスネットワーク部を動作させる方法であって、前記方法は、
前記複数のセルに関して、第１のマルチセル領域と第２のマルチセル領域とを定義し、
前記無線ネットワーク制御ノードにおいて、第１のレイヤパラメータを前記第１のマルチセル領域と、そして、第２のレイヤパラメータを前記第２のマルチセル領域と関連付け、
前記無線ネットワーク制御ノードから呼出された移動局に関した呼出メッセージを送信し、
前記呼出メッセージは、移動局識別子と前記移動局に適切なレイヤパラメータとを含むことを特徴とする方法。
【請求項３４】  コアネットワークに接続され移動局にサービスを行う、通信ネットワークの無線アクセスネットワークであって、前記無線アクセスネットワークは、
各々の複数のセルにサービスを行う複数の基地局と、
前記複数の基地局の第１のグループを制御する第１の無線ネットワーク制御ノードと、
前記複数の基地局の第２のグループを制御する第２の無線ネットワーク制御ノードとを有し、
第１のマルチセル領域は前記第１のグループの基地局の少なくともいくつかによってサービスを受けるセルと、前記第２のグループの基地局の少なくともいくつかによってサービスを受けるセルとを含み、
第２のマルチセル領域は前記第２のグループの基地局の少なくともいくつかによってサービスを受けるセルを含み、
前記マルチセル領域にある前記移動局を呼出すため、前記第１の無線ネットワーク制御ノードは、一時的移動局識別子［ＴＭＳＩ］を含む呼出メッセージを、（１）前記マルチセル領域に属する前記第１のグループの基地局、及び（２）前記第２の無線ネットワーク制御ノードに発信し、
前記第２の無線ネットワーク制御ノードは前記複数のマルチセル領域各々にマルチセル領域レイヤパラメータを割り当て、
前記マルチセル領域レイヤパラメータは前記呼出メッセージとともに、前記リストにある前記セルに送信されることを特徴とするネットワーク。